(57)【要約】      （修正有）【課題】プッシュオープン引き出しを備えたキッチンキャビネットにおいて、引き出しを勢いよく閉めても引き出しが確実に収納され、また、引き出しを開く際には軽い力で押せば開くことができるようにすることで、操作性を向上させる。【解決手段】チャージ本体４、押出し部４ａを引き出し１の奥のキャビネット本体７内側に、一方、爪を引き出し１の背板１９の下端に、それぞれ取付ける。また、ダンパー（Ａ）２１の稼動部の先端が引き出し前板１ａの裏面に当接するように、ダンパー本体をキャビネット本体７に取付ける。このことにより、引き出し１を閉める際の衝撃を緩衝して、引き出し１を確実に収納し、かつ、引き出し１を開く際には軽い力で押して引き出し１を開くことができる。【選択図】図４
2007252491.tif 000002
【特許請求の範囲】
【請求項１】
引き出しと、この引き出しを収納するキャビネット本体と、前記引き出しの飛び出し装置とを有するキッチンキャビネットにおいて、
前記引き出しの飛び出し装置が、ばねと、押し出し部と、この押し出し部を押すストロークによって前記ばねが縮んだ状態での保持と前記ばねの開放を行うロックとを備え、
前記キャビネット本体または前記引き出しが、前記引き出しを閉じる際の衝撃を緩衝するダンパー（Ａ）を備えるキッチンキャビネット。
【請求項２】
請求項１において、
さらに、引き出しの引き込み装置を備え、
この引き出しの引き込み装置が、引き出しの引き込み力を生じるばねと、このばねの引き込み力によって引き出しを閉じる際の衝撃を緩衝するダンパー（Ｂ）とを有するキッチンキャビネット。
【請求項３】
請求項２において、ダンパー（Ａ）が作動するまでの引き出しの押込み量が、ダンパー（Ｂ）が作動するまでの引き出しの押込み量よりも大きいキッチンキャビネット。
【発明の詳細な説明】
【技術分野】
【０００１】
本発明は、システムキッチン用のキャビネットに関するものであり、特には、引き出しの飛び出し装置、または、引き出しの飛び出し装置と引き込み装置の両者を備えたキッチンキャビネットに関する。
【背景技術】
【０００２】
システムシステムキッチン用のキッチンキャビネット１７は、図１５に示すように、台所用品や調味料等を収納できるよう複数の引き出し２７を有するのが一般的である。そして、システムキッチンは、調理や洗い物等の作業を行うものであるため、その作業の途中でキッチンキャビネット１７の引き出し２７の中の収納物を取り出すために、頻繁に引き出しの開け閉めを行う必要が生じる。
【０００３】
一方、調理や洗い物等で手が塞がっている状態では、引き出し２７の取っ手を握って引き出すことができない。また、手が汚れている状態で、引き出し２７の取っ手に手を掛けると、取っ手が汚れてしまう問題がある。
【０００４】
このような問題を解決するため、引き出し２７の前板を押すことにより、引き出し２７が飛び出す機構を備えたいわゆるプッシュオープン引き出しが考案されている（特許文献１）。また、引き出し２７をキャビネットの奥まで押し込まなくても、途中まで押し込めば引き出し２７最終の収納位置まで引き込む機構を備えたいわゆるソフトクローズ引き出しが考案されている（特許文献２）。これらの機構をそれぞれ単独に備えた場合、引き出し２７を開ける際、または、閉める際の何れかの操作を、手を使わず、肘や腰、尻等で行うことができるため、たいへん便利なものである。また、これらの機構の両者を備えた引き出し２７は、引き出し２７の開け閉めの両方の操作を、手を使わずに行うことができ、さらに便利なものである。
【特許文献１】特開２００４−４１６１６号公報
【特許文献２】特開２００６−２６３３２号公報
【発明の開示】
【発明が解決しようとする課題】
【０００５】
しかしながら、従来のプッシュオープン引き出しでは、以下のような問題があった。プッシュオープン引き出しに用いられる引き出しの飛び出し装置は、引き出しの飛び出し力を生じるばねと、引き出しを押し出す押し出し部と、この押し出し部を押すストロークによってばねが縮んだ状態での保持（以下、「ロック保持」と言う。）とばねの開放（以下、「ロック解除」と言う。）を行うロックとを備えるのが一般的である。そして、この場合、押し出し部を押してストロークがロック保持位置に達するとロック保持となり、さらに押し出し部を押してストロークがロック解除位置に達するとロック解除となる。このため、引き出しを閉める際にその勢いが大きいと、押し出し部を押すストロークがロック保持位置を越えてロック解除位置に達してしまい、引き出しを閉めようとしたにも関わらず開いてしまうケースが生じることになる。
【０００６】
押し出し部を押すストロークがロック解除位置に達しないようにするには、引き出しとキャビネットとの間に変形しにくい形状や材質のパッキングを設ける方法がある。しかしながら、上述したように、プッシュオープン引き出しを開くには、押し出し部を押してストロークがロック解除位置に達するようにする必要があるため、このように変形しにくいパッキングを使用した場合は、引き出しを開く際に、強い力で引き出しを押す必要があり、操作が困難になる。
【０００７】
また、プッシュオープン機構に加えてソフトクローズ機構を有する引き出しでは、以下のような問題があった。ソフトクローズ引き出しに用いられる引き出しの引き込み装置は、引き出しの引き込み力を生じるばねと、このばねの引き込み力によって引き出しを閉じる際の衝撃を緩衝するダンパー（Ｂ）とを備えるのが一般的である。このため、引き出しの引き込み装置のダンパー（Ｂ）の制動力を大きくすることで、引き出しを閉める際の勢いが大きい場合の衝撃を緩衝し、押し出し部を押すストロークが、ロック保持位置を越えて、ロック解除位置に達してしまうのを抑制する方法が考えられる。
【０００８】
しかしながら、引き出しの引き込み装置のダンパー（Ｂ）の制動力を大きくするには、ダンパー内の粘性流体の流動抵抗を大きくすることとなるため、この流動抵抗とのバランスで引き出しの引き込み力を生じるばねも引き込み力を大きくする必要がある。一方、引き出しの引き込み装置は、引き出しを引き出す操作によってばねを伸ばしてその状態で保持しておき、引き出しを閉める際に、伸ばしておいたばねが縮む力によって引き出しを引き込むものである。つまり、引き出しを開く際は、ばねの力に逆らって引き出しを引き出す必要がある。このため、ばねの引き込み力を大きくすると、引き出しの操作力が大きくなり、操作性が悪くなる問題がある。
【０００９】
このように、従来のプッシュオープン引き出し、および、プッシュオープン機構とソフトクローズ機構を組み合わせた引き出しは、十分にその利点を生かしたものとは言えなかった。
【００１０】
本発明は、このような課題を解決するためにされたものであり、プッシュオープン引き出しについては、引き出しを閉める際に勢いよく閉めても引き出しが閉まらないようなことがなく、また、引き出しを開く際には軽い力で押せば引き出しを開くことができるようにすることで、操作性を向上させることを目的とする。
【００１１】
また、プッシュオープン機構とソフトクローズ機構を組み合わせた引き出しについては、引き込み力を生じるばねの引き込み力を大きくすることなく、上記のプッシュオープン引き出しについての課題を解決することで、引き出しを引き出す際の使い勝手と操作性を向上させることを目的とする。
【課題を解決するための手段】
【００１２】
本発明は、次のものに関する。
（１）  引き出しと、この引き出しを収納するキャビネット本体と、前記引き出しの飛び出し装置とを有するキッチンキャビネットにおいて、前記引き出しの飛び出し装置が、ばねと、押し出し部と、この押し出し部を押すストロークによって前記ばねが縮んだ状態での保持と前記ばねの開放を行うロックとを備え、前記キャビネット本体または前記引き出しが、前記引き出しを閉じる際の衝撃を緩衝するダンパー（Ａ）を備えるキッチンキャビネット。
（２）  （１）において、さらに、引き出しの引き込み装置を備え、この引き出しの引き込み装置が、引き出しの引き込み力を生じるばねと、このばねの引き込み力によって引き出しを閉じる際の衝撃を緩衝するダンパー（Ｂ）とを有するキッチンキャビネット。
（３）  （２）において、ダンパー（Ａ）が作動するまでの引き出しの押込み量が、ダンパー（Ｂ）が作動するまでの引き出しの押込み量よりも大きいキッチンキャビネット。
【発明の効果】
【００１３】
プッシュオープン引き出しを有するキッチンキャビネットにおいて、ダンパー（Ａ）を備えることにより、勢いよく引き出しを閉めても、プッシュオープン引き出しを閉める際の衝撃を緩衝して、プッシュオープン引き出しの押し出し部を押すストロークが、ロック解除位置に達しにくくなり、引き出しが開いてしまうのを抑制する。また、引き出しを開く際には軽い力で押せば引き出しを開くことができ、操作性が向上する（請求項１）。
【００１４】
プッシュオープン機構とソフトクローズ機構の両者を有するキッチンキャビネットにおいて、ソフトクローズ機構と、このソフトクローズ機構とは別の独立したダンパーを備えることにより、プッシュオープンとソフトクローズの両方の機構を備えつつ、勢いよく引き出しを閉めても、プッシュオープン引き出しを閉める際の衝撃を緩衝して、プッシュオープン引き出しの押し出し部を押すストロークが、ロック解除位置に達しにくくなり、引き出しが開いてしまうのを抑制する。また、引き出しを開く際には軽い力で押したり、引いたりすれば引き出しを開くことができ、操作性が向上する（請求項２）。
【００１５】
プッシュオープン機構とソフトクローズ機構の両者を有するキッチンキャビネットにおいて、ダンパー（Ａ）が作動するまでの引き出しの押込み量が、ダンパー（Ｂ）が作動するまでの引き出しの押込み量よりも大きくすることにより、引き出しを閉める際の衝撃を緩衝しつつ、引き出しを最終の収納位置まで引き込む時間を短縮でき、使い勝手が向上する（請求項３）。
【発明を実施するための最良の形態】
【００１６】
本発明のキッチンキャビネット１７は、図１、図２に示すように、ワークトップにコンロ１３を有するコンロキャビネット１５、シンク１４を有するシンクキャビネット１６、等とともにシステムキッチンを構成するものである。コンロキャビネット１５やシンクキャビネット１６に隣接して配置される場合は、調理や洗い物をしながら収納物を出し入れする際に利便性が高いので望ましい。
【００１７】
キッチンキャビネット１７に使用する引き出しは、キャビネット本体内に複数設けられていればよく、その段数、及び配置、深さ、形状等に特に制限はないが、調味料や調理器具等の収納物の大きさや、使用目的・頻度等による分類の便宜、出し入れのし易さ等の観点から、キャビネット本体の上下の方向に、２段程度に積み重ねて配置されたものが好ましい（図１、図２）。最下段の引き出しは、収納量を大きくする等のため蹴込み部２まで含むような蹴込み部引き出し２ａとしたものがより望ましい。
【００１８】
図３、図４に示す引き出しの飛び出し装置（プッシュオープン機構）を備えたプッシュオープン引き出し１は、引き出しの前板１ａをキャビネット本体７の奥側へ押す操作により、引き出しが手前方向に飛び出すものである。
【００１９】
引き出しの飛び出し装置（プッシュオープン機構）の構成は、引き出しの前板１ａを押すことで、引き出しが飛び出す機能が実現できればどのようなものでもよいが、一例としては、図５、図６、図７に示すように、チャージ部本体４、及び押出し部４ａ、爪５からなるものが挙げられる。これらの部品は、例えば、図３、図４に示すように、チャージ部本体４と押出し部４ａが引き出しの奥のキッチンキャビネットの背板８の内側の水平板１０上に、爪５が引き出しの背板１９の下端に、それぞれ取付けられる。
【００２０】
ここで、チャージ部本体４（図７）の内部には、ばねと、押出し部４ａを所定のストローク以上押すことでばねが縮んだ状態での保持とばねの開放を行うロックが取付けられている。つまり、このロックは、押出し部４ａを所定のストローク以上押してロック保持位置に達すると、ばねが縮んだ状態で保持し（ロック保持：図３、図５）、さらにこの所定のストロークよりも大きく押し出し部４ａを押し込んでロック解除位置に達すると、ばねを開放する（ロック解除：図４、図６）。
【００２１】
これらの構成により、引き出しを収納する際は、引き出しの前板１ａを所定のストローク押すことによって、爪５が押出し部４ａを押し、ロック保持位置に達するため、押出し部４ａがチャージ部本体４内に押込まれた状態で保持される（ロック保持：図３、図５）。一方、引き出しを開ける際は、引き出しを収納する際のストロークよりも大きなストロークまで引き出しの前板を押すことによって、爪５が押出し部４ａを押し、ロック解除位置に達するため、チャージ部本体４内で縮められたばねが開放され、押出し部４ａを押出し、この押出し部４ａが爪５を押すことになるので、引き出し箱１ｂが押出され、引き出しが開放される（ロック解除：図４、図６）。
【００２２】
なお、引き出しを収納する際に、引き出しの前板１ａを押す勢いが強いと、ストロークがロック保持位置を通り越して、ロック解除位置に達してしまうことがある。この場合には、使用者が引き出しを閉じようとしているにも関わらず、引き出しが開いてしまうことになる。このため、図３、図４に示すように、引き出しを閉める際の衝撃を緩衝するためのダンパー（Ａ）２１を設けることが必要である。
【００２３】
引き出しを閉める際の衝撃を緩衝するダンパー（Ａ）２１は、ひき出しを閉める際の衝撃を緩衝して、引き出しのストロークがロック解除位置まで到達しないようにするものであれば、特に限定はない。図８、図９、図１０に示すように、ダンパー本体２１ａとダンパー稼動部２１ｂを備え、ダンパー本体２１ａの内部には、粘性流体を封入し、オリフィスを通過する粘性流体の抵抗によって制動力（減衰力）を発生させるようにしたものであって、ダンパー稼動部２１ｂを押し出すばねが内蔵されたものが望ましい。例えば、直動式のダンパーでブルモーション９７０Ａ（ブルム社、登録商標）等が挙げられる。
【００２４】
上記のダンパー（Ａ）２１は、粘性流体の流動抵抗が、ダンパー稼動部２１ｂの移動速度が高くなるにしたがって累進的に増大するという特性を利用するものであり、勢いよく引き出しを閉めた際の衝撃のような急激な操作に対しては大きな制動力が作用し、一方、引き出しを開けるために引き出しの前板を押すような緩慢な操作に対しては制動力が小さくなるように構成することができる。したがって、勢いよく引き出しを閉めても、プッシュオープン引き出し１を閉める際の衝撃を緩衝して、プッシュオープン引き出し１の押し出し部４ａを押すストロークが、ロック解除位置に達しにくくなり、引き出しが開いてしまうのを抑制する。また、引き出しを開く際には軽い力で押せば引き出しを開くことができ、操作性が向上する。
【００２５】
ダンパー（Ａ）２１を取付ける位置は、キャビネット本体７、または、引き出しの何れに取付けてもよいが、ダンパー稼動部２１ｂの先端が引き出しの前板１ａの裏面（図３、図４、図８、図９）に当接するように、ダンパー本体２１ａをキャビネット本体７に取り付けるのが望ましい。これにより、外部からは見えないため、美観を損ねることがなく、また、引き出しの背板１９に設ける引き出しの飛び出し装置（図３、図４、図５、図６）の取り付け位置との干渉を避けることができる。
【００２６】
引き出しの前板１ａの裏面、または、この前板の裏面が重なるキャビネットの引き出し収納のための開口の周囲に、パッキングを配置するのが望ましい。パッキングは、引き出しを閉める際に前板を押す勢いが強い場合には、ダンパー（Ａ）２１とともに、引き出しが閉じる際には衝撃を緩衝することができ、引き出しを開く際には、ストロークを容易にロック解除位置まで到達させることができる程度の緩衝性を有することが必要である。これにより、ストロークがロック保持位置を通り過ぎて、ロック解除位置に達するのを抑制する。さらに、引き出しを開く際には、ロック解除位置まで容易に達することができるため、操作性がよい。
【００２７】
また、パッキングが変形することで、ストロークがロック保持位置からロック解除位置まで変化するように、パッキングの厚みが変化するのが望ましい。これにより、ロック保持位置にある場合は、引き出しの前板の裏面とキュビネットの開口の周囲の間隙を埋めて気密性を確保することができ、こぼれた水等が引き出し内に浸入し難くなる。また、引き出しを開ける場合は、引き出しの前板を押すことで、ストロークをロック解除位置まで到達させることが可能となる。
【００２８】
図１１、図１２、図１３に示すように、本発明のキッチンキャビネットには、引き出しの飛び出し装置（プッシュオープン機構）に加えて、引き出しの引き込み装置（ソフトクローズ機構）を備えるのが望ましい。これにより、引き出しの開け閉めの両方の操作を、手を使わずに行うことができ、便利で使い勝手がよい。また、引き出しを勢いよく閉めた場合でも、引き出しの引き込み装置が有するダンパー（Ｂ）が、衝撃を緩衝する作用を有し、ストロークがロック解除位置まで到達するのを抑制することができる。
【００２９】
引き出しの引き込み装置（ソフトクローズ機構）は、引き出しをキャビネットの奥まで押し込まなくても、途中まで押し込めば、引き出しを最終の収納位置まで引き込む機構を備えたものであれば、特に限定はない。一例としては、図１１、図１２、図１３、図１４に示すような、引き出しに取り付けた作動部２２、キャビネット本体７に取り付けられ、作動部２２との連結や解除を行う係止部２３等を備えるものがある。作動部２２には、引き出しの引き込み力を生じるばね２５と、このばね２５の引き込み力によって引き出しを閉じる際の衝撃を緩衝するダンパー（Ｂ）２４と、係止部２３との連結や解除を行う爪２６とを備える。
【００３０】
図１４に示す、このような引き出しの引き込み装置（ソフトクローズ機構）は、引き出しが閉じた状態から開けられる途中の段階で、係止部２３と作動部２２の爪２６とが連結する。このため、引き出しを開ける際は、引き出しを開ける操作と同時に作動部２２のばね２５が伸ばされることにより引き込み力が蓄えられる。引き出しをさらに開けると係止部２３と作動部２２の爪２６との連結が解除され、それ以降は引き出しにはばねの力は及ばないので、引き出しはフリーの状態となる。一方、作動部２２のばね２５は伸びたまま保持された状態となる。次に、引き出しを閉める際は、引き出しを閉じていく途中で、係止部２３と作動部２２の爪２６とが連結する。このとき、作動部２２のばね２５に蓄えられた引き込み力が、引き出しに及ぶことになる。したがって、途中まで引き出しを閉めれば、ばね２５の引き込み力によって引き出しが最終的な収納位置まで閉じることになり、引き出しを閉める操作が容易となる。
【００３１】
また、作動部２２のダンパー（Ｂ）２４は、引き出しがばね２５の引き込み力で引き込まれる際の衝撃を緩衝することにより、引き出しがソフトに閉じるものである。このダンパー（Ｂ）２４と、上述したダンパー（Ａ）２１とは、別個に設けられ、独立して作動する。これにより、ダンパー（Ｂ）２４の制動力と、ダンパー（Ａ）２１の制動力を合わせて利用することができ、引き出しが閉じる際の衝撃を緩衝する効果が増す。また、ダンパー（Ｂ）２４の制動力を大きくする必要がないため、この制動力とバランスをとるために作動部２２のばね２５の引き込み力を大きくする必要もない。したがって、引き出しを開く際に、作動部２２のばね２５が伸ばされ引き込み力が蓄えられるが、その際の引き出しを引く力は従来通り、２〜３ｋｇｆであるため、操作性がよい状態を維持することができる。
【００３２】
ダンパー（Ａ）２１が作動するまでの引き出しの押込み量が、ダンパー（Ｂ）２４が作動するまでの引き出しの押込み量よりも大きいことが望ましい。ダンパー（Ｂ）２４が作動して引き出しに制動力を作用する位置は、同時に、作動部２２のばね２５が引き出しに引き込み力を作用させる位置であるため、比較的引き出しの押込み量が小さい位置、つまり、引き出しの開きが比較的大きい位置であるのが一般的である。この位置で、ダンパー（Ａ）２１を作動させると、引き出しの開きが大きい位置で制動力が作用し、その後、作動部２２のばね２５の引き込み力によって、引き出しを最終の収納位置まで引き込むのに時間を要してしまい、使い勝手がよくない。また、引き込む時間を短縮しようとすると、作動部２２のばね２５の引き込み力を大きくする必要があり、この場合には、引き出しを開く際に、このばね２５の引き込み力に逆らうこととなるため、操作力が大きくなり、操作性が良くない。このため、この位置よりも引き出しの押込み量が大きい位置、つまり、引き出しの開きが小さい位置で、ダンパー（Ａ）２１を作動させることにより、上記のような問題を解消でき、使い勝手と操作性が向上する。
【００３３】
キャビネット本体７の引き出しの中で、蹴込み部以外の引き出し２０は、引き出し操作や、収納物の出し入れを行う際に、わざわざ屈む必要がないため、使用頻度の高いものや取出し易さが必要とされるものが収納されることが多い。このため、プッシュオープン引き出しや、プッシュオープン機構とソフトクローズ機構を組み合わせた引き出しは、蹴込み部以外の引き出し２０として、配置されることが望ましい。特に、コンロ脇の引き出しは、コンロに近いことから、調理中に必要となる調味料や調理器具類が収納されることが多く、図１、図２に示すように、この位置にプッシュオープン引き出し１を配置するのが望ましい。また、シンク脇の引き出しは、シンクに近いことから、洗い物をしている最中に必要となる洗剤やスポンジ、布巾等が収納されることが多く、この位置にプッシュオープン引き出し１を配置するのが望ましい。これにより、調理や洗い物で手が汚れていたり、手が塞がっている状態でも、引き出せるようにしたいという要望が大きい引き出しを、手を使わなくても引き出しを引き出せるようにすることが可能となる。なお、コストの面から、蹴込み部以外の引き出し２０、または、コンロ脇の引き出しやシンク脇の引き出しのみをプッシュオープンとし、その他の位置の引き出しを通常の引き出しとするのが望ましい。
【００３４】
それぞれの引き出しの深さは、特に制限するものではないが、例えば図３、図４に示すように、蹴込み部引き出し２ａの収納深さＨ２と、その上部に配置したプッシュオープン引き出し１の収納深さＨ１が、同等の深さであるか、むしろ、後者の方が深いことが望ましい。これにより、プッシュオープン引き出しや、プッシュオープン機構とソフトクローズ機構を組み合わせた引き出しの前板１ａの下端が使用者の膝程度の高さとなり、前板１ａの上端が使用者の臀部、または、肘や腕の少し下程度の高さとなることから、調理等で手が汚れていたり、手が塞がっていたりしても、手を使わずに、膝、尻、肘、腕等によって、プッシュオープン引き出し１の前板１ａを押すことにより、プッシュオープン引き出し１を開けることが可能となる。
【実施例１】
【００３５】
図１、図２は、本発明の実施例１によるキッチンキャビネット１７を組込み設置したシステムキッチンの斜視図を示す。図１、図２において、本実施例によるキッチンキャビネット１７は、コンロ１３及びシンク（水槽）１４を備えるワークトップ（間口寸法２５５０ｍｍ、奥行寸法６５０ｍｍ）の下に設置され、ベースキャビネットとしてのシンクキャビネット１６とコンロキャビネット１５との間に組み込み設置される。上記のシンクキャビネット１６及びコンロキャビネット１５は、それぞれのキャビネットの下部に蹴込み部引き出し２ａと、その上部に蹴込み部以外の引き出し２０を設けた構造となっている。
【００３６】
一方、上記のコンロキャビネット１５の横に設置する本実施例のキッチンキャビネット１７には、コンロ脇に、プッシュオープン引き出し１が引き出し自在に設けられ、プッシュオープン引き出し１の下部には、前記したシンクキャビネット１６及びコンロキャビネット１５の蹴込み部引き出し２ａと同様の蹴込み部引き出し２ａが設けられる。
【００３７】
図３は、図１、図２のコンロ脇のプッシュオープン引き出し１を含むキッチンキャビネット１７のＡ−Ａ断面図で、プッシュオープン引き出し１を収納した状態を示す。図４は、図３と同様の断面図であるが、プッシュオープン引き出し１を引き出した状態を示す。
【００３８】
図２は、図１のシステムキッチンのキッチンキャビネット１７におけるコンロ脇のプッシュオープン引き出し１を引き出した状態の斜視図を示す。本実施例では、このコンロ脇のプッシュオープン引き出し１は、プッシュオープンの機能を実現するため、チャージ本体４、及び押出し部４ａ、爪５を、図３〜図６に示すように、チャージ部本体４と押出し部４ａがプッシュオープン引き出し１の奥のキャビネット本体内側に、爪５がプッシュオープン引き出し１の背板１９の下端に、それぞれ取付けられる。これにより、引き出しをわざわざ手で引かなくても、引き出しの前板１ａを押すことで、引き出しを開けることができ、使い勝手が向上する。
【００３９】
ダンパー（Ａ）２１として、直動式のダンパーでブルモーション９７０Ａ（ブルム社、登録商標）を取り付ける。ダンパー（Ａ）２１を取付ける位置は、ダンパー稼動部２１ｂの先端が引き出しの前板の裏面（図８、図９）に当接するように、ダンパー本体２１ａをキャビネット本体７に取り付ける。これにより、外部からは見えないため、美観を損ねることがなく、また、引き出しの背板に設ける引き出しの飛び出し装置（図３〜図６）の取り付け位置との干渉がない。また、このダンパー（Ａ）２１を取り付けることにより、勢いよく引き出しを閉めても、プッシュオープン引き出しを閉める際の衝撃を緩衝して、プッシュオープン引き出し１の押し出し部４ａを押すストロークが、ロック解除位置に達しにくくなり、引き出しが開いてしまうのを抑制する。また、引き出しを開く際には軽い力で押せば引き出しを開くことができ、操作性が向上する。
【実施例２】
【００４０】
実施例２のキッチンキャビネット１７は、引き出しの飛び出し装置（プッシュオープン機構）に加えて、引き出しの引き込み装置（ソフトクローズ機構）を備える。引き出しの引き込み装置（ソフトクローズ機構）としては、ブルモーションＺ７０．３１Ｅ３  Ｌ／Ｒ（ブルム社、登録商標）を使用する。これにより、引き出しの開け閉めの両方の操作を、手を使わずに行うことができ、便利で使い勝手がよい。また、引き出しを勢いよく閉めた場合でも、ダンパー（Ａ）２１と、引き出しの引き込み装置が有するダンパー（Ｂ）２４が、衝撃を緩衝し、ストロークがプッシュオープン機構のロック解除位置まで到達するのを抑制することができる。また、ダンパー（Ｂ）２４の制動力を大きくする必要がないため、この制動力とバランスをとるために作動部のばねの引き込み力を大きくする必要もない。したがって、引き出しを開く際に、作動部のばねが伸ばされ引き込み力が蓄えられるが、その際の引き出しを引く力は従来通りであるため、操作性がよい状態を維持することができる。
【００４１】
また、ダンパー（Ａ）２１が作動するまでの引き出しの押込み量が、ダンパー（Ｂ）２４が作動するまでの引き出しの押込み量よりも大きい。つまり、ダンパー（Ａ）２１を図８、図９に示すように、プッシュオープン引き出し１の水平板１０前端部より、ダンパー稼動部２１ｂが５〜１０ｍｍ突き出した位置で、プッシュオープン引き出しの前板１ａの裏面と接触するように取付ける。また、図１２に示すように、ダンパー（Ｂ）が作動を開始する位置を、プッシュオープン引き出し１の水平板１０前端部より、５０ｍｍ離れた位置とする。これにより、ダンパー（Ａ）２１の制動力が作用してから引き出しを最終の収納位置まで引き込むのに要する時間を短縮でき、使い勝手がよい。
【図面の簡単な説明】
【００４２】
【図１】本発明の実施例１のキッチンキャビネットが組込まれたシステムキッチンの斜視図である。
【図２】本発明の実施例１のキッチンキャビネットが組込まれたシステムキッチンの斜視図である。
【図３】図１の要部縦断面図Ａ−Ａである。
【図４】図２の要部縦断面図Ａ−Ａである。
【図５】図３、図４の引き出しの飛び出し装置の取付け部の詳細図である。
【図６】図３、図４の引き出しの飛び出し装置の取付け部の詳細図である。
【図７】チャージ部本体及び押出し部の詳細図である。
【図８】ダンパー部本体及びダンパー稼動部の詳細図である。
【図９】ダンパー部本体及びダンパー稼動部の詳細図である。
【図１０】ダンパーの詳細図である。
【図１１】本発明の実施例２の引き出しの引き込み装置の取り付け部の詳細図である。
【図１２】本発明の実施例２の引き出しの引き込み装置の取り付け部の詳細図である。
【図１３】本発明の実施例２の引き出しの引き込み装置の取り付け部の詳細図である。
【図１４】引き出しの引き込み装置（ソフトクローズ機構）の詳細図である。
【図１５】従来のキッチンキャビネットが組み込まれたシステムキッチンの斜視図である。
【符号の説明】
【００４３】
１    プッシュオープン引き出し
１ａ  前板
１ｂ  引き出し箱
１ｃ  取っ手
２    蹴込み部
２ａ  蹴込み部引き出し
４    チャージ部本体
４ａ  押出し部
５    爪
７    キャビネット本体
８    キッチンキャビネットの背板
１０    水平板
１３    コンロ
１４    シンク
１５    コンロキャビネット
１６    シンクキャビネット
１７    キッチンキャビネット
１８    内引き出しの背板
１９    背板
２０    蹴込み部以外の引き出し
２１    ダンパー（Ａ）
２１ａ  ダンパー本体
２１ｂ  ダンパー稼動部
２２    作動部
２３    係止部
２４    ダンパー（Ｂ）
２５    ばね
２６    爪
２７    引き出し
【図１】
2007252491.tif 000003
【図２】
2007252491.tif 000004
【図３】
2007252491.tif 000005
【図４】
2007252491.tif 000006
【図５】
2007252491.tif 000007
【図６】
2007252491.tif 000008
【図７】
2007252491.tif 000009
【図８】
2007252491.tif 000010
【図９】
2007252491.tif 000011
【図１０】
2007252491.tif 000012
【図１１】
2007252491.tif 000013
【図１２】
2007252491.tif 000014
【図１３】
2007252491.tif 000015
【図１４】
2007252491.tif 000016
【図１５】
2007252491.tif 000017